(57)【要約】      （修正有）【課題】可変容量形油圧ポンプにおける、ポンプ特性を設定するためにねじ部材の油漏れを防止する。【解決手段】斜板式油圧ポンプ１０はシャフト２１がポンプハウジング２２とカバー２３にベアリング２４、２５を介して支承されている。シャフト２１にはスプライン２６でスプライン嵌合され該シャフト２１と同時に回転可能にされたシリンダバレル２７が設けられ、シリンダバレル２７とカバー２３との間にシャフト２１と同心にバルブプレート２８がシリンダバレル２７に対して摺動自在に挟持されている。斜板３３の上方にスプリング受け３８を介して弾発力を付勢するスプリング３７と、スプリング３７を支持するスプリングガイド４８と、スプリング３７の弾発力を調整するねじ部材１１と、を有し、ねじ部材１１にはねじ部に特殊ナイロンが付着されている。【選択図】図１
2015052300.tif 000002
【特許請求の範囲】
【請求項１】
ハウジング内にシャフトと共に回転可能に支持されたシリンダバレルの複数個のシリンダ室に軸方向摺動可能に嵌挿された複数個のピストンと、
前記ピストンの一端側の前記シリンダ室に開口する繭状の吸入ポート及び吐出ポートを有するバルブプレートと、
前記ピストンの他端頭部及びシューを介して摺接可能に支持された斜板と、
前記斜板の上方にスプリング受けを介して弾発力を付勢するスプリングと、
前記スプリングを支持するスプリングガイドと
前記スプリング
の弾発力を調整するねじ部材と、
を有するピストンポンプであって、
前記ねじ部材に特殊ナイロンを加工したボルトを使用して、該ねじ部材を締め込むとねじに加工された特殊ナイロンがねじの山と谷の隙間に埋まって外部への油漏れを防止することを特徴する斜板式油圧ポンプ。
【発明の詳細な説明】
【技術分野】
【０００１】
本発明は、建設機械や産業機械用に用いられる斜板式油圧ポンプに関し、さらに詳細にはポンプ特性調整（圧力、容量等）を外部と繋がったボルト等で行う場合のシールに関するものである。
【背景技術】
【０００２】
従来、この種の斜板式油圧ポンプはポンプ特性調整（圧力、容量等）を外部と繋がったボルト等で行う場合には、ボルトねじ部のからの外部油漏れを防ぐためのシール機能が必要である。
【０００３】
図２は従来の斜板式油圧ポンプ２０の概略構造を示す縦断面図を示す。
斜板式油圧ポンプ２０は、図示しない原動機からの回転力によって回転させられるシャフト２１がポンプハウジング（ハウジング）２２とカバー２３にベアリング２４、２５を介して支承されている。シャフト２１にはスプライン２６でスプライン嵌合され該シャフト２１と同時に回転可能にされたシリンダバレル２７が設けられ、シリンダバレル２７とカバー２３との間にシャフト２１と同心にバルブプレート２８がシリンダバレル２７に対して摺動自在に挟持されている。
【０００４】
シリンダバレル２７には、複数のピストン２９がピストン穴３０に出入可能にされ、該シリンダバレル２７はスプリング３１によってバルブプレート２８側に付勢されている。シリンダバレル２７のピストン２９の出入り側には、該ピストン２９の頭部がピストンシュー３２を介して摺動可能にされた斜板３３が設けられ、該斜板３３はポンプハウジング２２に設けられた支点部材３４を中心にして傾転可能に支持されている。
【０００５】
前記ピストン２９はスプリング３１により斜板３３側に付されている。前記支点部材３４は、図２に示すように例えば、発生した油圧力の反力としてピストン２９から斜板３３に作用する合力の中心位置よりも図２より見て上方に配置され、前記斜板３３にはピストン２９の反力を受け支点部材３４の回りに右回りに回転する力を受ける。この力に対向して斜板３３の上方には、スプリング３７がスプリング受け３８を介して弾発力を付勢するように配置されている。ピン３９、４０及び皿ばね４１、４２は斜板３３が押し付けられたときの振動を吸収する機能を有する。前記ピン３９、４０は、頭部４３、４４を備えてハウジング２３に設けられた穴４５、４６に嵌着されている。
【０００６】
前記スプリング３７は一端（図２で左端）前記スプリング受け３８に係着し、他端（図２で右端）がカバー２３に穴部４７に嵌挿されたスプリングガイド４８に支持されている。
スプリングガイド４８には、カバー２３に螺着され軸芯方向に変位するねじ部材４９が当接しており、該ねじ部材４９が変位するとスプリング３７の弾発力を調整するようになっている。
参照符号５０はシールワシャを示すもので、カバー２３とねじ部材４９との螺子結合による油漏れを防止している（例えば、特許文献１参照。）。
【０００７】
図３は、ねじ部材４９の油漏れを防止する他の従来の変形例の概略構造を示す縦断面図で、図３中、図２の構成要素と同一の構成要素は同一符号を付して詳細な説明を省略する。
斜板油圧ポンプ６０においては、Ｔ字状のスプリングガイド４８にシール部材、例えばＯリングを組み付けてねじ部材４９からの油漏れを防止していることを特徴とする（例えば、特許文献２参照。）。
【先行技術文献】
【特許文献】
【０００８】
【特許文献１】特開２００９−１３９４０号公報
【特許文献２】特開２００６−１５２８１９号公報
【発明の概要】
【発明が解決しようとする課題】
【０００９】
しかしながら、特許文献１に開示された可変容量形油圧ポンプ２０は、ポンプ特性を設定するためにねじ部材４９を数回調整する必要があるが、繰り返して調整を行うと、シールワシャ５０のシール部分が破損して外部に油漏れする可能性がある。
【００１０】
特許文献２に開示された斜板式油圧ポンプ６０では、スプリングガイド４８にＯリング６１を装着する溝加工が必要となり、スプリングガイド４８をガイドする穴部４７の加工精度も必要となる。また、スプリングガイド４８が厚くなるため、該スプリングガイド４８を収納する穴部４７の深さが短くなり、該スプリング３７の設計自由度が劣る等の問題点がある。
本発明は、上記の課題を解決するためになされたもので、カバーに螺着するねじ部材に特殊ナイロンを加工したボルトを使用することで、ねじ部材を締め込むとねじに加工された特殊ナイロンがねじの山と谷の隙間に埋まって外部への油漏れを防止する斜板式油圧ポンプを提供することを目的とする。
【課題を解決するための手段】
【００１１】
前記の課題を解決するために、請求項１記載の発明は、
ハウジング内にシャフトと共に回転可能に支持されたシリンダバレルの複数個のシリンダ室に軸方向摺動可能に嵌挿された複数個のピストンと、
前記ピストンの一端側の前記シリンダ室に開口する繭状の吸入ポート及び吐出ポートを有するバルブプレートと、
前記ピストンの他端頭部及びシューを介して摺接可能に支持された斜板と、
前記斜板の上方にスプリング受けを介して弾発力を付勢するスプリングと、
前記スプリングを支持するスプリングガイドと
前記スプリング
の弾発力を調整するねじ部材と、
を有するピストンポンプであって、
前記ねじ部材に特殊ナイロンを加工したボルトを使用して、該ねじ部材を締め込むとねじに加工された特殊ナイロンがねじの山と谷の隙間に埋まって外部への油漏れを防止することを特徴する。
【発明の効果】
【００１２】
本発明は、カバーに螺着するねじ部材に特殊ナイロンを加工したボルトを使用することで、ねじ部材を締め込むとねじに加工された特殊ナイロンがねじの山と谷の隙間に埋まって外部への油漏れを防止することができる。
さらに、ねじ部材のシールを簡単かつ安価な方法で行うことができる。また、繰り返して調整をねじ部材の弛め、締め行ってもシール部分を破損することなく、油漏れが発生を防止することができる。
【図面の簡単な説明】
【００１３】
【図１】本発明の実施の形態の斜板式油圧ポンプの概略構造を示す縦断面である。
【図２】従来の斜板式油圧ポンプの概略構造を示す縦断面である。
【図３】従来の他の斜板式油圧ポンプの概略構造を示す縦断面である。
【発明を実施するための形態】
【００１４】
以下、本発明の実施の形態に係る斜板式油圧ポンプにつき好適な実施の形態を挙げ、添付図面を参照して詳細に説明する。
図１は本発明の実施の形態に係る斜板式油圧ポンプの縦断面図で、図１中、図２と構成と同一構成要素につては同一符号を付して詳細な説明を省略する。
【００１５】
図１において、ねじ部材１１は特殊ナイロン樹脂であるＴＢ２３６０「（株）スリーボンド製」を加工したボルトを使用して、該ねじ部材１１を締め込むとねじに加工された特殊ナイロンがねじの山と谷の隙間に埋まって外部への油漏れを防止ことができる。繰り返して調整をねじ部材の弛め、締め行ってもシール部分を破損することなく油漏れが発生を防止する。
【符号の説明】
【００１６】
１０、２０、６０斜板式油圧ポンプ    １１、４９  ねじ部材
２１  シャフト                      ２２  ポンプハウジング
２３  カバー                        ２４、２５  ベアリング
２６  スプライン                    ２７  ピストン
２８  バルブプレート                ２９  スプリング
３０  ピストン穴                    ３１、３７  スプリング
３２  ピストンシュー                ３３  斜板
３８  スプリング受け                ４７  穴部
４８  スプリングガイド              ５１  ナット
【図１】
2015052300.tif 000003
【図２】
2015052300.tif 000004
【図３】
2015052300.tif 000005